(57)【特許請求の範囲】
【請求項１】
非接触でデータの読み書きが可能な非接触ＩＣと、
前記非接触ＩＣを保持する携帯情報端末と、
前記携帯情報端末上で実行され、前記携帯情報端末による前記非接触ＩＣのデータの読み書きを制御する携帯端末側アプリケーションと、
前記携帯情報端末が所定の範囲内に接近した場合に、前記携帯情報端末に保持された前記非接触ＩＣのデータを非接触で読み書き可能な外部読み書き装置と
を備え、
前記非接触ＩＣは、前記携帯情報端末を提供している事業者を特定する事業者特定情報を特定領域に格納しており、
前記外部読み書き装置は、前記携帯情報端末が前記外部読み書き装置から所定の範囲内に接近した場合に、前記非接触ＩＣの前記特定領域に格納された前記事業者特定情報を取得し、取得した前記事業者特定情報に基づいた情報を前記非接触ＩＣに送信する非接触送受信システム。
【請求項２】
前記外部読み書き装置は、前記事業者特定情報に対応付けて前記携帯端末側アプリケーションを起動させる起動要求を格納しており、前記非接触ＩＣから取得した前記事業者特定情報に対応付けられた前記起動要求を送信することにより、前記非接触ＩＣを介して前記携帯端末側アプリケーションを起動させる請求項１に記載の非接触送受信システム。
【請求項３】
前記外部読み書き装置は、前記事業者特定情報に対応付けてコンテンツを格納しており、前記非接触ＩＣから取得した前記事業者特定情報に対応付けられた前記コンテンツを前記非接触ＩＣに書き込む請求項１に記載の非接触送受信システム。
【請求項４】
前記外部読み書き装置は、表示部を有し、前記非接触ＩＣに格納された前記事業者特定情報を取得できなかった場合、及び、前記非接触ＩＣから取得した前記事業者特定情報が前記外部読み書き装置に予め格納されていた前記事業者特定情報に含まれていなかった場合に、エラーを表示部に表示する請求項２または３に記載の非接触送受信システム。
【請求項５】
前記外部読み書き装置は、前記非接触ＩＣに格納された前記事業者特定情報を取得できなかった場合、及び、前記非接触ＩＣから取得した前記事業者特定情報が前記外部読み書き装置に予め格納されていた前記事業者特定情報に含まれていなかった場合に、前記非接触ＩＣを介して前記携帯端末側アプリケーションに対して特定のコマンドを送信する請求項１に記載の非接触送受信システム。
【発明の詳細な説明】
【技術分野】
【０００１】
本発明は、非接触送受信システムに関する。特に、外部読み書き装置からの起動要求に基づいて携帯情報端末上でアプリケーションが起動する非接触送受信システムに関する。
【背景技術】
【０００２】
非接触ＩＣを搭載する携帯電話、及び、この携帯電話の非接触ＩＣとの間でデータを読み書きするＩＣ読み書き装置が知られている（例えば、特許文献１参照）。この場合に、携帯電話とＩＣ読み書き装置は、非接触ＩＣの記録領域のフォーマット等に基づいた所定のフォーマットに従ってデータを送受信する。
【０００３】
また、非接触ＩＣ搭載の携帯電話は、このＩＣ読み書き装置からの起動要求を受信して、携帯電話内に格納されているアプリケーションを起動する。この場合に、ＩＣ読み書き装置は、そのアプリケーションを起動させる所定のフォーマットの起動要求をアプリケーションに送信する。
【特許文献１】特開２００５−１０８０４４号公報
【発明の開示】
【発明が解決しようとする課題】
【０００４】
しかしながら、携帯電話を提供する事業者毎に非接触ＩＣの記録領域のフォーマットが異なると、このＩＣ読み書き装置と携帯電話は、データの送受信ができないという不具合がある。
【０００５】
また、携帯電話を提供する事業者毎にアプリケーションを起動するフォーマットが異なると、ＩＣ読み書き装置から携帯電話のアプリケーションを起動することができないという不具合がある。
【課題を解決するための手段】
【０００６】
上記課題を解決するために、本発明の第１の形態においては、非接触でデータの読み書きが可能な非接触ＩＣと、非接触ＩＣを保持する携帯情報端末と、携帯情報端末上で実行され、携帯情報端末による非接触ＩＣのデータの読み書きを制御する携帯端末側アプリケーションと、携帯情報端末が所定の範囲内に接近した場合に、携帯情報端末に保持された非接触ＩＣのデータを非接触で読み書き可能な外部読み書き装置とを備える非接触送受信システムであって、非接触ＩＣは、携帯情報端末を提供している事業者を特定する事業者特定情報を特定領域に格納しており、外部読み書き装置は、携帯情報端末が外部読み書き装置から所定の範囲内に接近した場合に、非接触ＩＣの特定領域に格納された事業者特定情報を取得し、取得した事業者特定情報に基づいた情報を非接触ＩＣに送信する。
【０００７】
これにより、外部読み書き装置は、非接触ＩＣを保持する携帯情報端末を提供している事業者を特定することができる。また、外部読み書き装置は、特定した事業者に応じた情報を、特定した事業者の仕様に従って、携帯情報端末に送信することができる。
【０００８】
外部読み書き装置は、事業者特定情報に対応付けて携帯端末側アプリケーションを起動させる起動要求を格納しており、非接触ＩＣから取得した事業者特定情報に対応付けられた起動要求を送信することにより、非接触ＩＣを介して携帯端末側アプリケーションを起動させてもよい。
【０００９】
これにより、外部読み書き装置は、特定した事業者に応じた携帯端末側アプリケーションを起動させる起動要求を、特定した事業者の仕様に従って携帯端末側アプリケーションに送信して、携帯端末側アプリケーションを起動させることができる。
【００１０】
外部読み書き装置は、事業者特定情報に対応付けてコンテンツを格納しており、非接触ＩＣから取得した事業者特定情報に対応付けられたコンテンツを非接触ＩＣに書き込んでもよい。
【００１１】
これにより、外部読み書き装置は、特定した事業者に応じたコンテンツを、特定した事業者の仕様に従って、非接触ＩＣに書き込むことができる。
【００１２】
これにより、外部読み書き装置は、非接触ＩＣを保持する携帯情報端末を提供している事業者に応じて、コンテンツを、携帯情報端末が保持する非接触ＩＣに、適切な形式で書き込むことができる。
【００１３】
外部読み書き装置は、表示部を有し、非接触ＩＣに格納された事業者特定情報を取得できなかった場合、及び、非接触ＩＣから取得した事業者特定情報が外部読み書き装置に予め格納されていた事業者特定情報に含まれていなかった場合に、エラーを表示部に表示してもよい。
【００１４】
これにより、外部読み書き装置は、携帯情報端末を提供している事業者を特定できなかった場合、特定できなかった旨を、外部読み書き装置のユーザに視覚的に通知することができる。
【００１５】
外部読み書き装置は、非接触ＩＣに格納された事業者特定情報を取得できなかった場合、及び、非接触ＩＣから取得した事業者特定情報が外部読み書き装置に予め格納されていた事業者特定情報に含まれていなかった場合に、非接触ＩＣを介して携帯端末側アプリケーションに対して特定のコマンドを送信してもよい。
【００１６】
これにより、外部読み書き装置は、携帯情報端末を提供している事業者を特定できなかった場合、特定できなかった旨を、携帯情報端末のユーザに通知することができる。
【００１７】
なお、上記の発明の概要は、本発明の必要な特徴の全てを列挙したものではなく、これらの特徴群のサブコンビネーションもまた、発明となりうる。
【発明の効果】
【００１８】
以上の説明から明らかなように、本発明によれば、外部読み書き装置は、非接触ＩＣを保持する携帯情報端末を提供している事業者を特定し、特定した事業者に応じた情報を、特定した事業者の仕様に従って、携帯情報端末に送信することができる。
【発明を実施するための最良の形態】
【００１９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００２０】
図１は、非接触送受信システム１０の概念図を示す。非接触送受信システム１０は、非接触でデータの読み書きが可能な非接触ＩＣ２２０を保持する携帯情報端末２００、携帯情報端末２００が所定の範囲内に接近した場合に、携帯情報端末２００に保持された非接触ＩＣ２２０のデータを非接触で読み書き可能な外部読み書き装置１００、及び外部読み書き装置１００に接続されたコンピュータ３００を備える。外部読み書き装置１００は、表示部１０６を有する。外部読み書き装置１００及び携帯情報端末２００は、電波を用いて非接触に双方向に通信する。コンピュータ３００は、携帯情報端末２００間の通信に関する情報を、外部読み書き装置１００に対して送受信する。これら外部読み書き装置１００及びコンピュータ３００は、非接触ＩＣ２２０に関するサービスを提供する店舗等に設置される。
【００２１】
携帯情報端末２００の一例は携帯電話であり、既知のネットワークを用いて、他の携帯電話と通話又は通信する。また、携帯情報端末２００は、上記ネットワークを介してウェブサーバにアクセスし、携帯情報端末２００用のアプリケーションをダウンロードすることができ、また、ウェブページを閲覧することができる。
【００２２】
携帯情報端末２００が外部読み書き装置１００から所定の範囲内に接近すると、携帯情報端末２００に保持された非接触ＩＣ２２０は、外部読み書き装置１００から送信された電波を受信する。非接触ＩＣ２２０は受信した電波から起電力を得る。また非接触ＩＣ２２０は、この電波に搬送された情報を取得する。そして非接触ＩＣ２２０は、得られた起電力を利用して、非接触ＩＣ２２０のデータを電波によって外部読み書き装置１００に送信する。なお、非接触ＩＣ２２０は、電池等を備え、この電源を利用して送受信してもよい。また、上記送受信方法の一例はＦｅｌｉｃａ（登録商標）であるが、これに限られない。
【００２３】
図２は、非接触送受信システム１０のブロック図の一例を示す。携帯情報端末２００は、携帯情報端末２００上で実行されて動作する携帯端末側アプリケーション２３０を備える。非接触ＩＣ２２０は、携帯情報端末２００と外部読み書き装置１００との間で電波を送受信する入出力部２２２、及びデータを記録する記録領域２２４を備える。記録領域２２４は、携帯情報端末２００を提供している事業者を特定する事業者ＩＤを格納する特定領域２２６を有する。非接触ＩＣ２２０は、事業者ＩＤを特定領域２２６に格納する。
【００２４】
入出力部２２２は、外部読み書き装置１００から起動要求を受信した場合に、これを携帯端末側アプリケーション２３０に転送する。また、入出力部２２２は、携帯端末側アプリケーション２３０及び外部読み書き装置１００からの制御により、記録領域２２４に書き込まれるデータを受け取り、また、記録領域２２４から読み出されたデータを出力する。
【００２５】
記録領域２２４のうち特定領域２２６以外の領域は、クーポン等のコンテンツ、携帯端末側アプリケーション２３０が生成した情報等が記録される。記録領域２２４は、特定領域２２６を除き、携帯情報端末２００を提供している事業者によって、記録されるべきデータのフォーマット等が異なる。
【００２６】
外部読み書き装置１００は、携帯情報端末２００との間で電波を送受信する入出力部１０２、この入出力部１０２が取得した事業者ＩＤを判断する判断部１０４、エラーを表示する表示部１０６、及び、事業者ＩＤ等を格納する格納部１０８を備える。
【００２７】
入出力部１０２は、非接触ＩＣ２２０の入出力部２２２に対して事業者ＩＤを要求し、非接触ＩＣ２２０から、特定領域２２６に格納された事業者ＩＤを受信する。さらに、入出力部１０２は、受信した特定領域２２６に格納された事業者ＩＤを、判断部１０４に出力する。さらに、入出力部１０２は、判断部１０４から、事業者ＩＤに基づいた情報を受け取り、この事業者ＩＤに基づいた情報を非接触ＩＣ２２０に送信する。
【００２８】
格納部１０８は、携帯情報端末２００を提供している事業者を特定する事業者ＩＤ、及び事業者ＩＤに基づいた情報を格納する。格納部１０８は、事業者ＩＤに基づいた情報として、例えば、事業者ＩＤに対応付けて携帯端末側アプリケーション２３０を起動させる起動要求、コンテンツ等を格納する。例えば、格納部１０８は、このコンテンツとしてクーポン、バナー広告、音楽、画像等を格納する。格納部１０８については、図３及び図４を用いて更に説明する。
【００２９】
判断部１０４は、特定領域２２６に格納された事業者ＩＤを入出力部１０２から受け取る。これにより、外部読み書き装置１００は、非接触ＩＣ２２０を保持する携帯情報端末２００を提供している事業者を特定する。さらに、判断部１０４は、上記事業者ＩＤを、格納部１０８に予め格納されていた事業者ＩＤと照合して、非接触ＩＣ２２０の特定領域２２６に格納された事業者ＩＤが、格納部１０８に予め格納されていた事業者ＩＤに含まれているか否かを判断する。さらに、判断部１０４は、特定領域２２６に格納された事業者ＩＤが、格納部１０８に予め格納されていた事業者ＩＤに含まれていると判断した場合、格納部１０８を参照して、この事業者ＩＤに基づいた情報を外部読み書き装置１００の入出力部１０２に出力する。
【００３０】
表示部１０６は、非接触ＩＣ２２０に格納された事業者ＩＤを取得できなかった場合、及び、非接触ＩＣ２２０から取得した事業者ＩＤが外部読み書き装置１００に予め格納されていた事業者ＩＤに含まれていなかった場合にエラーを表示する。
【００３１】
以上の構成において、携帯情報端末２００が外部読み書き装置１００から所定の範囲内に接近した場合に、非接触ＩＣ２２０の特定領域２２６に格納された事業者ＩＤを取得し、取得した事業者ＩＤに基づいた情報を非接触ＩＣ２２０に送信する。これにより、外部読み書き装置１００は、特定した事業者に応じた情報を、特定した事業者の仕様に従って、携帯情報端末２００に送信することができる。
【００３２】
図３は、外部読み書き装置１００の格納部１０８に格納された情報の一例を示す。図３に示す格納部１０８は、図３（ａ）に示すように、事業者ＩＤに対応付けて情報を格納するデータベースＡ、及び、図３（ｂ）に示すように、事業者ＩＤに対応付けることなく情報を格納するデータベースＢを格納する。
【００３３】
データベースＡは、事業者ＩＤ、その事業者ＩＤにより特定される事業者にて用いられる適式なフォーマットの起動要求、及び、その事業者ＩＤにより特定される事業者にて用いられる適式なフォーマットのコンテンツを対応付けて格納する。すなわち、格納部１０８に格納される起動要求は、携帯情報端末２００を提供している事業者によって、データフォーマット等が異なる。そこで、格納部１０８は、携帯情報端末２００を提供している各事業者のそれぞれのデータフォーマットに対応する、適式の起動要求を格納する。また、格納部１０８は、携帯情報端末２００を提供している各事業者のそれぞれの記録領域２２４のフォーマットに対応する、適式のコンテンツを格納する。
【００３４】
また、データベースＢは、事業者ＩＤの読み出しの状況に対応付けて、エラー、及び、特定のコマンドを格納する。この特定のコマンドは、各事業者の携帯情報端末２００上で、一の携帯端末側アプリケーション２３０に同じ動作をさせるコマンドであることが好ましい。なお、格納部１０８は、コンピュータ３００からの入力により、格納する情報を更新する。
【００３５】
ここで、格納部１０８は、データベースＡに格納される起動要求として、起動要求のデータを格納してもよいし、起動要求を識別する識別コードを格納してもよい。格納部１０８は、起動要求を識別する識別コードを格納する場合は、この識別コードに対応付けて起動要求のデータを別に格納する。格納部１０８は、コンテンツ、エラー等他の情報についても同様の形態で格納してもよい。
【００３６】
図４は、外部読み書き装置１００から送信される起動要求のデータフォーマットの一例を示す。図４（ａ）は、図３（ａ）が示す起動要求「Ｎ０００１」について、図４（ｂ）は、図３（ａ）が示す起動要求「Ａ０００１」について、それぞれのデータフォーマットの一例を示す。
【００３７】
図４（ａ）が示すように、起動要求「Ｎ０００１」のデータフォーマットは、個別部数、複数の個別部、及び誤り制御に用いるチェックサムのフィールドを有する。個別部数は、この後に続く個別部の総数を示す。個別部は、携帯情報端末２００に起動させる機能を特定する情報を示す。個別部は、起動制御情報及び個別部パラメータサイズを有する個別部ヘッダ、及び個別部パラメータのフィールドを有する。起動制御情報は、携帯情報端末２００上で起動させる機能を特定する情報を示す。個別部パラメータサイズは、この後に続く個別部パラメータの送信サイズを示す。個別部パラメータは、起動制御情報で指定された機能の中から、携帯情報端末２００上で起動させる機能を限定する情報を示す。具体的には、個別部パラメータは、携帯情報端末２００上で起動させる携帯端末側アプリケーション２３０を限定する、サービス事業者ナンバー及びアプリケーションナンバーのフィールドを有する。
【００３８】
図４（ａ）及び図４（ｂ）が示すように、起動要求「Ａ０００１」の起動要求のデータフォーマットは、少なくとも、起動要求「Ｎ０００１」が有しない、アプリケーションバージョンのフィールドを有する点で、起動要求「Ｎ０００１」のデータフォーマットと異なる。
【００３９】
したがって、例えば、外部読み書き装置１００は、事業者ＩＤ「Ｎ００１」の事業者が提供する携帯情報端末２００に、起動要求「Ａ０００１」を送信しても、逆に、事業者ＩＤ「Ａ００１」の事業者が提供する携帯情報端末２００に、起動要求「Ｎ０００１」を送信しても、携帯端末側アプリケーション２３０を正常に起動させることはできない。
【００４０】
なお、同様に、携帯情報端末２００を提供している事業者毎に、特定領域２２６を除く、記録領域２２４のフォーマット等に関する仕様が異なるので、外部読み書き装置１００は、事業者ＩＤ「Ｎ００１」の事業者の携帯情報端末２００に保持された記録領域２２４に、事業者ＩＤ「Ａ００１」の事業者の携帯情報端末２００に保持された記録領域２２４にアクセスする命令を用いて、正常にアクセスすることはできない。
【００４１】
図５は、非接触送受信システム１０の動作をフローチャートで示す。本フローチャートは、携帯情報端末２００が外部読み書き装置１００から所定の範囲内に接近したところからはじまる。外部読み書き装置１００は、非接触ＩＣ２２０の入出力部２２２から非接触ＩＣ２２０のデータを受信した場合に、携帯情報端末２００が所定の範囲内に接近したと判断する。
【００４２】
外部読み書き装置１００は、特定領域２２６に格納された事業者ＩＤを取得する（Ｓ１０２）。より詳細には、外部読み書き装置１００は特定領域２２６にアクセスして情報を読み出す要求を非接触ＩＣ２２０に送信し、この要求に基づいて、非接触ＩＣ２２０の入出力部２２２は、特定領域２２６に格納された事業者ＩＤを読み出して、外部読み書き装置１００の入出力部１０２に送信する。外部読み書き装置１００の入出力部１０２は、受信した特定領域２２６に格納された事業者ＩＤを、判断部１０４に出力する。
【００４３】
外部読み書き装置１００は、携帯情報端末２００が所定の範囲内に接近したと判断する、「非接触ＩＣ２２０のデータ」として、この事業者ＩＤを取得してもよいし、携帯情報端末２００が所定の範囲内に接近したと判断した後に、改めてこの事業者ＩＤを取得してもよい。
【００４４】
これにより、外部読み書き装置１００は、非接触ＩＣ２２０を保持する携帯情報端末２００を提供している事業者を特定することができる。
【００４５】
次に、外部読み書き装置１００は、取得した事業者ＩＤが、予め格納部１０８に格納された事業者ＩＤに含まれているか否かを判断する（Ｓ１０４）。より詳細には、判断部１０４は、入出力部１０２が非接触ＩＣ２２０から取得した事業者ＩＤを、格納部１０８に予め格納されていた事業者ＩＤと照合する。
【００４６】
図３に示す例において、判断部１０４は、外部読み書き装置１００の入出力部１０２から特定領域２２６に格納された事業者ＩＤ、例えば「Ｎ００１」、を入力した場合、データベースＡの事業者ＩＤフィールドを参照することにより、事業者ＩＤ「Ｎ００１」が事業者ＩＤフィールドに格納されていると判断する。一方、判断部１０４は、外部読み書き装置１００の入出力部１０２から特定領域２２６に格納された事業者ＩＤ、例えば「Ｂ００１」、を入力した場合、データベースＡの事業者ＩＤフィールドを参照することにより、事業者ＩＤ「Ｂ００１」が事業者ＩＤフィールドに格納されていないと判断する。
【００４７】
ステップＳ１０４において、外部読み書き装置１００は、取得した事業者ＩＤが、予め格納部１０８に格納された事業者ＩＤに含まれていると判断した場合（Ｓ１０４：Ｙｅｓ）、取得した事業者ＩＤに対応付けられた起動要求を携帯端末側アプリケーション２３０に送信する（Ｓ１０８、Ｓ２０２）。より詳細には、判断部１０４は、この事業者ＩＤに対応付けて格納部１０８に格納された起動要求を外部読み書き装置１００の入出力部１０２に出力する。外部読み書き装置１００の入出力部１０２は、この起動要求を非接触ＩＣ２２０の入出力部２２２に送信する。非接触ＩＣ２２０の入出力部２２２は、受信した起動要求を携帯端末側アプリケーション２３０に出力する。この場合に、非接触ＩＣ２２０の入出力部２２２は、この起動要求に含まれるアプリケーションナンバーにより特定される携帯端末側アプリケーション２３０に、起動要求を出力する。
【００４８】
例えば、判断部１０４は、データベースＡを参照して、事業者ＩＤ「Ｎ００１」に対応付けられた起動要求「Ｎ０００１」、又はコンテンツ「クーポン１」を外部読み書き装置１００の入出力部１０２に出力する。
【００４９】
これにより、外部読み書き装置１００は、特定した事業者に応じた情報を、具体的には、特定した事業者に応じた携帯端末側アプリケーション２３０を起動させる起動要求を、特定した事業者の仕様に従って携帯端末側アプリケーション２３０に送信することにより、携帯端末側アプリケーション２３０を起動させることができる。
【００５０】
起動要求を受信した携帯端末側アプリケーション２３０は、外部読み書き装置１００との間で処理をする（Ｓ３０２、Ｓ１１０）。この処理は、例えば携帯情報端末２００の所有者が、特定のサービスに加入しているかどうかの確認のために記録領域２２４のうち特定領域２２６以外の領域から当該サービスの識別番号を読み出す処理、当該サービスを利用したことによりこの領域にポイントを加算する情報を書き込む処理等である。
【００５１】
一方、ステップＳ１０４において、外部読み書き装置１００は、取得した事業者ＩＤが、予め格納部１０８に格納された事業者ＩＤに含まれていないと判断した場合（Ｓ１０４：Ｎｏ）、表示部１０６にエラーを表示する（Ｓ１１２）。より詳細には、判断部１０４は、格納部１０８に格納されたエラーを表示部１０６に出力する。そして表示部１０６は入力したエラーを表示する。
【００５２】
例えば、図３に示す例において、判断部１０４は、データベースＢを参照して、エラー「未対応の事業者です」を表示部１０６に出力する。
【００５３】
これにより、外部読み書き装置１００は、携帯情報端末２００を提供している事業者を特定できなかった場合、特定できなかった旨を、外部読み書き装置１００のユーザに視覚的に通知することができる。
【００５４】
また、この場合（Ｓ１０４：Ｎｏ）、外部読み書き装置１００は、非接触ＩＣ２２０を介して携帯端末側アプリケーション２３０に対して特定のコマンドを送信する（Ｓ１１４、Ｓ２０４）。より詳しくは、判断部１０４は、格納部１０８に格納された特定のコマンドを外部読み書き装置１００の入出力部１０２に出力する。外部読み書き装置１００の入出力部１０２は、この特定のコマンドを非接触ＩＣ２２０の入出力部２２２に送信する。非接触ＩＣ２２０の入出力部２２２は、この特定のコマンドを携帯端末側アプリケーション２３０に出力する。
【００５５】
例えば、判断部１０４は、この場合に、表示部１０６へのエラーの出力に代えて、又は加えて、データベースＢを参照して、特定のコマンド「特定コマンド２」を外部読み書き装置１００の入出力部１０２に出力する。
【００５６】
これにより、外部読み書き装置１００は、携帯情報端末２００を提供している事業者を特定できなかった場合、特定できなかった旨を、携帯情報端末２００のユーザに通知することができる。
【００５７】
なお、ステップＳ１０４において、外部読み書き装置１００は、取得した事業者ＩＤが、予め格納部１０８に格納された事業者ＩＤに含まれていると判断した場合（Ｓ１０４：Ｙｅｓ）、携帯端末側アプリケーション２３０への起動要求の送信（Ｓ１０８、Ｓ２０２）に代えて、又は加えて、取得した事業者ＩＤに対応付けられたコンテンツを非接触ＩＣ２２０に書き込んでもよい。
【００５８】
より詳しくは、判断部１０４は、特定領域２２６に格納された事業者ＩＤと同一の事業者ＩＤに対応付けて格納部１０８に格納されたコンテンツを外部読み書き装置１００の入出力部１０２に出力する。外部読み書き装置１００の入出力部１０２は、このコンテンツを非接触ＩＣ２２０の入出力部２２２に送信する。非接触ＩＣ２２０の入出力部２２２は、受信したコンテンツを記録領域２２４のうち特定領域２２６以外の領域に格納する。
【００５９】
これにより、外部読み書き装置１００は、特定した事業者に応じたコンテンツを、特定した事業者の仕様に従って、非接触ＩＣ２２０に書き込むことができる。
【００６０】
外部読み書き装置１００の入出力部１０２が、特定領域２２６に格納された事業者ＩＤを取得できなかった場合、表示部１０６にエラーを表示（Ｓ１１２）、又は、非接触ＩＣ２２０を介して携帯端末側アプリケーション２３０に対して特定のコマンドを送信する（Ｓ１１４、Ｓ２０４）。
【００６１】
例えば、図３に示す例において、判断部１０４は、外部読み書き装置１００の入出力部１０２から特定領域２２６に格納された事業者ＩＤを入力できなかった場合、データベースＢを参照して、エラー「事業者ＩＤが読み出せません」を表示部１０６に出力する。判断部１０４は、この場合に、表示部１０６へのエラーの出力に代えて、又は加えて、データベースＢを参照して、特定のコマンド「特定コマンド１」を外部読み書き装置１００の入出力部１０２に出力する。
【００６２】
なお、外部読み書き装置１００は、音声出力部を有し、非接触ＩＣ２２０に格納された事業者ＩＤを取得できなかった場合、及び、非接触ＩＣ２２０から取得した事業者ＩＤが外部読み書き装置１００に予め格納されていた事業者ＩＤに含まれていなかった場合に、音声を音声出力部から出力してもよい。より詳細には、判断部１０４は、格納部１０８に格納されたエラーを音声出力部に出力する。そして音声出力部は入力したエラーを音声出力する。
【００６３】
これにより、外部読み書き装置１００は、携帯情報端末２００を提供している事業者を特定できなかった場合、特定できなかった旨を、外部読み書き装置１００のユーザ、及び携帯情報端末２００のユーザに通知することができる。
【００６４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６５】
【図１】非接触送受信システム１０の概念図を示す。
【図２】非接触送受信システム１０のブロック図の一例を示す。
【図３】外部読み書き装置１００の格納部１０８に格納された情報の一例を示す。
【図４】外部読み書き装置１００から送信される起動要求のデータフォーマットの一例を示す。
【図５】非接触送受信システム１０の動作をフローチャートで示す。
【符号の説明】
【００６６】
１０  非接触送受信システム
１００  外部読み書き装置
１０２  入出力部
１０４  判断部
１０６  表示部
１０８  格納部
２００  携帯情報端末
２２０  非接触ＩＣ
２２２  入出力部
２２４  記録領域
２２６  特定領域
２３０  携帯端末側アプリケーション
３００  コンピュータ
【図１】
0004629518.tif 000002
【図２】
0004629518.tif 000003
【図３】
0004629518.tif 000004
【図４】
0004629518.tif 000005
【図５】
0004629518.tif 000006